(57)【要約】  ブレード(L) のタブが、可撓性フック(4a)と、喉頭鏡のハンドルに配置した固定アバッタメント部材(3) と係合した時にフックの方向に傾かせるための弾性により撓むことができる可撓性の壁面(4b)を備える。この係合時に、フックは喉頭鏡のキャビティに設けた棒(2) に係合している。
2005520587.tif 000002
【特許請求の範囲】
【請求項１】
喉頭鏡ハンドルの端部に形成されたキャビティ(1) 内にブレードを装着するためのタブ(4) を備え、このタブが該キャビティを横断する棒(2) に係合させるためのフック形状部分(4a)を有する、使い捨て用の非金属製の喉頭鏡ブレード(L) であって、前記タブが、このタブを前記キャビティ内に一時的にロックするために、フック形状部分(4a)の方に傾くように設計された弾性により撓む可撓性壁面(4b)を、前記フックに対向し、かつこれから距離を置いて備えており、この可撓性壁面は、これがハンドルに配置された固定アバッタメント部材(3) と接触した時の作用でフック形状部分の方に傾くように応力を受けた時に、ブレードをハンドルに対して決まった位置に保持するようになっていることを特徴とする喉頭鏡ブレード。
【請求項２】
可撓性壁面がブレードを保持することができる２つの位置を決める２つのリブ(6, 7)を備える、請求項１に記載のブレード。
【請求項３】
合成樹脂の成形により作製された、請求項１または２に記載のブレード。
【請求項４】
喉頭鏡ブレードに形成されたタブ(4) を受け入れるために一端にキャビティ(1) を備え、該キャビティ内には、該タブに形成されたフック(4a)を係合させるための固体された横棒(2) を備える、反復使用される喉頭鏡ハンドルであって、該タブに形成された弾性により撓む可撓性壁面(4b)と接触するようにするための固定されたアバッタメント部材(3) を備え、タブをキャビティ内にロックするように該壁面をフック形状部分(4a)の方向にピボット回転させることを特徴とする喉頭鏡ハンドル。
【請求項５】
前記固定アバッタメント部材(3) がキャビティを横断して設けた第２の横棒である、請求項４記載のハンドル。
【請求項６】
請求項１〜３のいずれかに記載のブレードと請求項４または５に記載のハンドルとを備える喉頭鏡。
【請求項７】
ハンドル(M) が、前記キャビティにレジリエンスにより突出する電気接点(8) の制御下で電球に電力を供給するためのバッテリーを収容するのに適したチューブであり、ブレード(L) が、ブレードをハンドルに装着し、ブレードのタブが前記電球を点灯させるために前記電気接点を押した時に、前記電球から光をブレードに沿って光出口に案内するのに適した光導波路(9) を備える、請求項６に記載の喉頭鏡。
【発明の詳細な説明】
【技術分野】
【０００１】
本発明は、使い捨てか、ほとんど反復使用されない非金属製のブレードと、何回も使用されるハンドルとからなる種類の喉頭鏡 (laryngoscope、ラリンゴスコープ) に関し、ブレードとハンドルには、ブレードをハンドルに少なくとも１つの予め決めた位置に取り外し可能に装着して組立てることができるよう共働する手段がそれぞれ設けられている。
【背景技術】
【０００２】
ブレードをハンドルに装着して組立てる手段は、ブレードをハンドルに係合させる (ひっかける) のを可能にする係合手段と、ブレードを所定位置に保持するように作用するが、使用後にはブレードをハンドルから分離することができるようにブレードの適当な操作によって作用を解除することができるバネ作用ロック手段とから構成される。
【０００３】
公報EP 0 169 497には、下記の係合手段とロック手段を持つ態様が記載されている：
−係合手段は、ハンドルの一端に配置されたキャビティと、ブレードの一端に設けたタブ上に形成されたフックとから構成され、キャビティは外部に開いていて、キャビティを横断して設け横棒を含んでおり、フックは、タブをハンドルのキャビティ内に挿入した時に該横棒と係合して旋回するようになっている；
−ロック手段は、ハンドル上のキャビティのわきに設けた壁面により構成され、この壁面は、ハンドル上に固定されたバネ・ブレードからの推力下でタブの対向壁面とクサビ (ウェッジング) 接触するようにブレードのタブを受け入れる。
【０００４】
ハンドルは反復使用するものであるため、バネ・ブレードに疲労の危険性があり、そうなるとブレードのロックの有効性は小さくなる。
公報GB 2 191 949には、ブレードとハンドルとの間にアダプタを有する喉頭鏡が記載されている。１態様 (図４および５) では、ハンドルをアダプタに係合させる手段が棒からなり、ブレードをアダプタに係合させる手段がフックからなっり、ハンドルをアダプタにロックする手段とブレードをアダプタにロックする手段がそれぞれバネ荷重(spring-loaded) ボールからなる。別の態様では、ブレードをアダプタに係合させる手段がブレードのタブとアダプタを貫通するスクリューからなり、ブレードをロックする手段が、ブレードのタブに固定され、アダプタの側方キャビティ内で突き当たるようになるバネ・ブレードにより構成される。類似の係合手段およびロック手段がハンドルにも設けられる。
【発明の開示】
【発明が解決しようとする課題】
【０００５】
本発明の目的は、ずっと安価で、使い捨てのブレードとの使用に適合した設計の喉頭鏡を提供することである。
本発明は、ブレードの製造コストに悪影響を及ぼさず、かつハンドルの反復使用がロックの有効性に悪影響を及ぼさずにブレードを確実にロックしようとするものである。
【課題を解決するための手段】
【０００６】
本発明によれば、要するに、ブレードのタブに弾性により撓む(elastically flexible)可撓性壁面を、タブのフックに対向するが、これから距離を置いた配置で形成することにより、上記目的が達成される。それにより、タブをハンドルのキャビティに挿入して、壁面がハンドルの固定アバッタメント部材と接触するようにした時の力によって、壁面はフックの方向にわずかに傾くように強いられ、この傾きが壁面を起立させようとする復元力を生じ、それにより壁面とハンドルの前記部分との間の接触圧力が確保される。  即ち、本発明では、バネ作用(spring effect) が単にタブに設けた穴によって得られ、この穴は成形により、または成形後の簡単な機械加工により得ることができる。
【０００７】
従って、この設計では、タブの可撓性壁面と接触させるためのアバッタメント部材として、フックにより包囲される棒に平行に別の単純な固定棒の形態の部材を設けることにより、ブレードのハンドルが単純化される。
【０００８】
即ち、ハンドルに設けたロック手段は、ハンドルが繰り返し使用されるにもかかわらず、ほとんど摩耗を受けることがない固定手段からなり、ブレードのロック手段は可撓性の手段からなる。このブレード側の可撓性ロック手段は、長期使用した場合には摩耗を受けるが、ブレードは使い捨てか、またはほとんど反復使用されないので、このハンディキャップを免れる。
【０００９】
以下、本発明に係るブレードとハンドルからなる喉頭鏡の１態様を、添付図面を参照しながら説明する。
添付図面は、本発明に係る喉頭鏡のブレードＬとハンドルＭとを示す。
【００１０】
ハンドル(M) は、手でつかむのに適した中空の金属製シリンダであり、その一端は、外部に開いたキャビティ(1) を形成するようにシリンダ上にねじ込んだヘッドＴにより閉じられている。キャビティ(1) 内には、第１の棒(2) と第２の棒(3) が見られ、これらの棒は剛直で固定されており、キャビティを横断するよう互いに平行に配置されている。
【００１１】
ブレード(L) は合成樹脂製で、舌を下顎まで押し下げ、喉頭蓋を持ち上げるために口腔内に挿入するのに適当な形状が付与されている。このブレードは一端にタブ(4) を備え、このタブは、フック(4a)と、空のギャップ(5) によりフックから分離された可撓性のリブ付き壁面(4b)とにより構成される。このリブ付き壁面は、２つの平行なリブ(6, 7)を備える。
【００１２】
タブの寸法は、ハンドルのヘッド内のキャビティの中に押し込むことができ、それによりフックが棒(2) と係合し、可撓性のリブ付き壁面がもう一方の棒(3) と接触し、リブはこれらの棒と平行になるようにできるものである。
【００１３】
まず (図１および２) 、フックを第１の棒(2) に引っかけるが、リブ付き壁面はヘッドのキャビティの外側に出たままである。
次に (図３および４) 、リブ付き壁面の第１のリブ(6) が第２の棒(3) を通りすぎると、この第２の棒がリブ付き壁面と共働することによって、第２の棒が壁面上の２つのリブ(6, 7)の間に位置する第１の位置にブレードが保持される。
【００１４】
その後 (図５および６) 、リブ付き壁面の第２のリブ(7) が第２の棒(3) を通りすぎて、ブレードは第２の位置にロックされる。
第１の位置でも、ことに第２の位置ではより一層そうであるが、第２の棒の作用によりブレードのタブの可撓性壁面が強制的に撓むことによって、ブレードを所定位置に保持する力が生ずる。
【００１５】
図７は、可撓性壁面の撓みを示す説明図である。
ハンドルは、前記キャビティ内にレジリエンスにより突出する電気接点の制御下で電球に電力を供給するためのバッテリーを収容し、ブレードは、ブレードをハンドルに装着し、ブレードのタブが前記電球を点灯させるために前記電気接点を押した時に、前記電球から光をブレードに沿って光出口に案内するのに適した光導波路（光パイプ）を備える。
【００１６】
添付の図面において、電気接点は(8) で、光導波路は(9) で示される。これらの手段は公知で本発明の主題部分を構成するものではないから、これらの手段について詳述する必要はない。
【００１７】
本発明はこの態様に制限されるものではない。
【図面の簡単な説明】
【００１８】
【図１】ブレードのタブのフックをハンドルの棒に引っかけたばかりの時点での、ハンドルに装着中のブレードの斜視図。
【図２】図１の円で囲った部分を示す拡大図。
【図３】ブレードを前記の棒を回転軸としてピボット旋回させて第１のロック位置にした後のブレードを示す、図１と同様の図である。
【図４】図３の円で囲った部分を示す拡大図。
【図５】ブレードを前記の棒を回転軸としてさらにピボット旋回させて第２のロック位置にした後のブレードを示す、図１と同様の図である。
【図６】図５の円で囲った部分を示す拡大図。
【図７】ブレードのタブの可撓性壁面の拡大詳細図。
【図１】
2005520587.tif 000003
【図２】
2005520587.tif 000004
【図３】
2005520587.tif 000005
【図４】
2005520587.tif 000006
【図５】
2005520587.tif 000007
【図６】
2005520587.tif 000008
【図７】
2005520587.tif 000009
【国際調査報告】
2005520587.tif 000010
2005520587.tif 000011
2005520587.tif 000012
2005520587.tif 000013
2005520587.tif 000014
2005520587.tif 000015